(57)【特許請求の範囲】
【請求項１】
通信リンクを介して電力を受け取る受電装置であって、前記受電装置は、
前記受電装置の分類フェーズ中に分類情報を前記通信リンクに提供する分類情報提供ユニットと、
環境状態を検出するためのセンサユニットと、
前記分類情報提供ユニットに、検出される前記環境状態を示すセンサ情報を提供するセンサ情報提供ユニットと
を備え、
前記分類情報提供ユニットは、前記通信リンクを介して前記検出される環境状態を通信するよう前記センサ情報に基づき前記分類情報を提供する、
受電装置。
【請求項２】
前記受電装置は、前記分類フェーズ中に前記受電装置によって引き出される電流を制御する電流制御ユニットをさらに備える、請求項１に記載の受電装置。
【請求項３】
前記分類情報提供ユニットは、さらに、前記受電装置の電力レベルに基づき、前記分類フェーズ中に前記分類情報を提供し、
第１のモードでは、前記分類情報提供ユニットは、前記受電装置の電力レベルに基づき、前記分類フェーズ中に前記分類情報を提供し、
第２のモードでは、前記分類情報提供ユニットは、前記検出される環境状態に基づき、前記分類フェーズ中に前記分類情報を提供する、
請求項１に記載の受電装置。
【請求項４】
前記第１のモードにおいて、前記分類情報提供ユニットは、前記受電装置の所定の電力レベルに基づき前記分類情報を提供する、請求項３に記載の受電装置。
【請求項５】
前記受電装置は、前記受電装置の第１のスタートアップに対応する第１の分類フェーズ中に前記第１のモードで動作する、請求項３に記載の受電装置。
【請求項６】
前記受電装置は、前記第１のスタートアップの後の前記受電装置の第２のスタートアップに対応する第２の分類フェーズ中に前記第２のモードで動作する、請求項５に記載の受電装置。
【請求項７】
前記センサユニットは、存在検出器、周囲光センサ及び／又は温度センサのうちの少なくとも１つである、請求項１に記載の受電装置。
【請求項８】
１つ以上の受電装置に通信リンクを介して電力を供給するための給電装置であって、前記給電装置は、
分類フェーズ中に受電装置から前記通信リンクを介して分類情報を受信する分類情報受信ユニットと、
前記分類情報から前記受電装置のセンサによって検出される環境状態を示すセンサ情報を取り出すセンサ情報取り出しユニットと
を備える、給電装置。
【請求項９】
前記給電装置は、前記センサ情報に基づき、前記通信リンクを介して供給される電力量を調整する、請求項８に記載の給電装置。
【請求項１０】
前記給電装置は、前記給電装置が経時的に変化する分類情報を検出した場合に、前記センサ情報取り出しユニットをイネーブルする、請求項８に記載の給電装置。
【請求項１１】
請求項１０に記載の給電装置と、
請求項１に記載の受電装置と、
前記給電装置と前記受電装置とを接続する通信リンクと
を備える、ＰｏＥシステム。
【請求項１２】
通信リンクを介して電力を受け取る受電装置であって、センサユニットを有する受電装置の動作方法であって、前記方法は、
受電装置の分類フェーズ中に分類情報を前記通信リンクに提供するステップと、
分類情報提供ユニットにセンサ情報を提供するステップと
を含み、
センサモードでは、前記分類情報は、前記通信リンクを介して前記センサ情報を通信するために用いられる、
方法。
【請求項１３】
１つ以上の受電装置に通信リンクを介して電力を供給するための給電装置の動作方法であって、前記方法は、
分類フェーズ中に受電装置から前記通信リンクを介して分類情報を受信するステップと、
前記分類情報から前記受電装置のセンサによって検出される環境状態を示すセンサ情報を取り出すステップと
を含む、方法。
【請求項１４】
請求項１１に記載のＰｏＥシステムの動作方法であって、前記方法は、
前記受電装置において環境状態を示すセンサ情報を提供するステップと、
前記受電装置の分類フェーズ中に前記通信リンクを介して前記受電装置から前記給電装置に分類情報を送信するステップと
を含み、
センサモードでは、前記分類情報は、前記センサ情報を通信するために用いられ、
前記方法はさらに、前記給電装置において前記分類情報から前記センサ情報を取り出すステップを含む、
方法。
【請求項１５】
通信リンクを介して電力を受け取る受電装置を動作させるためのコンピュータプログラムであって、前記コンピュータプログラムは、前記受電装置を制御するコンピュータ上で前記コンピュータプログラムが実行されたとき、請求項１に記載の受電装置に、請求項１２に記載の受電装置の動作方法の前記ステップを実行させるプログラムコード手段を含む、コンピュータプログラム。
【発明の詳細な説明】
【技術分野】
【０００１】
本発明は、通信リンクを介して電力を受け取る受電装置（ＰＤ：ｐｏｗｅｒｅｄ  ｄｅｖｉｃｅ）、通信リンクを介して電力を供給する給電装置（ＰＳＥ：ｐｏｗｅｒ  ｓｏｕｒｃｉｎｇ  ｅｑｕｉｐｍｅｎｔ  ｄｅｖｉｃｅ）、ＰｏＥ（Ｐｏｗｅｒ−ｏｖｅｒ−Ｅｔｈｅｒｎｅｔ（登録商標）  ｎｅｔｗｏｒｋ）システム、通信リンクを介して電力を受け取るＰＤの動作方法、通信リンクを介して電力を供給するＰＳＥの動作方法、ＰｏＥシステムの動作方法、及び通信リンクを介して電力を受け取るＰＤを作動させるためのコンピュータプログラムに関する。
【背景技術】
【０００２】
Ｐｏｗｅｒ−ｏｖｅｒ−Ｅｔｈｅｒｎｅｔ（登録商標）（ＰｏＥ）については、IEEE Standard 802.3af-2003, Part 3: Carrier Sense Multiple Access with Collision Detection (CSMA/CD) Access Method and Physical Layer Specifications, Amendment: Data Terminal Equipment (DTE) Power via Media Dependent Interface (MDI); IEEE Computer Societyにおいて説明されている。ＰｏＥにより、分離されたデータ機器及び周辺機器（ルータ、スイッチ、プリンタスプーラ等）に対して、これらをイーサネット（登録商標）に接続するのにすでに使用されているものと同じワイヤ又はネットワーク接続を介して電力が供給される。例えば照明器具（センサ、スイッチ、光源など）、又はアクティブスピーカー、インターネットラジオ、ＤＶＤプレーヤー、セットトップボックス、さらにはテレビなどのエンターテインメント機器など、あらゆる種類の低電力負荷について同じ規格を使用する計画がある。例えば、Ｃａｔ５／６接続当たり最大１００Ｗの電力レベルをサポートするよう、ＩＥＥＥ規格８０２．３の規格化は進行中である。
【０００３】
ビル内での配電用のＰｏＥ給電システムが業界の注目を集める中で、これらの直流受電ネットワーク（いわゆるＤＣグリッド）が広く利用されるためには、これらのネットワークのいくつかの固有の使用側面を解決する必要がある。かつて、ルータ、スイッチ、プリンタスプーラなどの分離されたネットワークデバイスに電力を供給するためにＰｏＥ規格が導入されたときは、元々意図されていた負荷のほとんどが既に通信及び処理手段を備えていたため、小さなプラグ型電源を代替するものであった。
【０００４】
上記したように、ＰＤの例は光源であってもよいが、センサ又はアクチュエータであってもよい。典型的には、給電機器（ＰＳＥ）と受電装置（ＰＤ）との間の２つのリンクが予見される。給電リンクは、検出及び分類後に確立される。その後、従来のイーサネット（登録商標）データ用のデータリンクが確立される。両リンクはいくつかのコンポーネント（トランス等）を共有するが、各コンポーネントは相当数の余分なコンポーネントも有する。モニタリング機能を備え、完全に制御される高出力光源の場合、この努力は許容され得る。また、ＩＰ電話やＩＰカメラなどのＰｏＥの当初のターゲット機器の場合も、これは必要かつ合理的である。
【０００５】
しかし、ローカルな計算及び通信要件が低い小さい負荷を有することが多い照明システム又は同様な負荷システムという新たな適用分野では、負荷の複雑さに対して、通信及び処理のオーバーヘッドが不適切な場合がある。したがって、データリンクの実際の用途を考慮すると、通信リンクのための努力は、単純な検出器（周囲光センサ等）又はランプにとっては高すぎる可能性がある。ごく僅かなステータスビットがしか必要とされないにもかかわらず、１０ＭＢ／ｓから１０００ＭＢ／ｓのデータ転送速度を有するコンポーネントが設置されている場合、特に顕著である。
【０００６】
したがって、安価なデータ通信能力を有するＰＤが必要とされている。
【０００７】
米国特許出願公開第２００６／０１６８４５９号は、通信リンクを介して電力を供給するためのシステムにおいて、給電装置と受電装置との間にデータ通信を提供するための回路及び方法を開示する。イーサネット（登録商標）を介して電力を供給する装置等の給電装置は、受電装置から、受電装置を検出するための検出情報及び受電装置の電力レベルを決定するための分類情報を受信する。検出及び分類情報に加えて受電装置によって提示される情報を取り扱うために、情報回路が設けられ得る。
【０００８】
米国特許出願公開第２００７／１１０３６０号は、イーサネット（登録商標）リンク等の通信リンクを介して受電装置（ＰＤ）に電力を供給するシステム及び方法を開示する。システムは、ＰＤに電力を供給する電源装置と、ＰＤのタスクに応じてＰＤに割り当てられる電力を動的に変更するダイナミック電力割り当て機構とを有する。
【０００９】
米国特許第７，５８７，２８９号は、壁に取り付け可能な、データ信号が送信されるケーブルを使用して給電されるセンサ器具を開示する。器具にはデータケーブルが取り付けられており、センサ用の電力はデータ信号から分離される。モーションセンサ、光センサ、及びオーディオセンサなどの環境入力を提供するために、センサはビルオートメーションシステムと組み合わせて使用され得る。また、センサをＬＥＤ照明と組み合わせて、動き又は他の環境変化が検知されたときに点灯する複合器具が構成されてもよい。
【発明の概要】
【００１０】
本発明の課題は、通信リンクを介して電力を受け取る改良されたＰＤ、通信リンクを介して電力を供給する改良されたＰＳＥ、改良されたＰｏＥシステム、通信リンクを介して電力を受け取るＰＤの改良された動作方法、通信リンクを介して電力を供給するＰＳＥの改良された動作方法、ＰｏＥシステムの改良された動作方法、及び通信リンクを介して電力を受け取るＰＤを作動させるための改良されたコンピュータプログラムを提供することである。
【００１１】
本発明の一側面では、通信リンクを介して電力を受け取る受電装置が提供され、前記受電装置は、前記受電装置の分類フェーズ中に分類情報を前記通信リンクに提供するよう構成された分類情報提供ユニットと、前記分類情報提供ユニットにセンサ情報を提供するよう構成されたセンサ情報提供ユニットとを備え、前記分類情報提供ユニットは、前記センサ情報に基づき前記分類情報を提供するよう構成される。
【００１２】
ここで、「給電機器」（ＰＳＥ）という用語は、例えば、単一のリンクセクション（すなわち、リンクのうちのＰＳＥからＰＤへの部分）に電力を供給するＤＴＥ又はミッドスパン機器を指し得る。「受電装置」（ＰＤ）という用語は、一般的に、ＰＳＥから電力を引き出す又はＰＳＥに対して電力を要求する装置を指す。単純な例では、本明細書で使用される通信リンクは、ＰＳＥ及びＰＤを互いに結合するイーサネット（登録商標）ケーブルであってもよい。
【００１３】
ＰＳＥは、負荷管理などの機能を実装することを可能にするためにＰＤを分類するように構成され得る。ＰＤの分類が成功するには、ａ）ＰＤ検出に成功し、次いで、ｂ）ＰＤ分類に成功することが必要である。従来のＰＤは、ＰＳＥがＰＤの電力要件を分類することを可能にする情報を提供する。分類サイクル中にＰＤによって送信される情報は、本明細書では「分類情報」と呼ばれる。分類情報を提供するＰＤの要素は、分類情報提供ユニットと呼ばれる。
【００１４】
「分類フェーズ」は、ＰＤの検出後、ＰＤが自身のクラス情報をＰＳＥに伝達し得る期間を指す。本発明によれば、ＰＤは、ＰＤの電力要件について言及せず、他の情報に関連するクラス情報を通信し得る。具体的には、情報は、本明細書では「センサ情報」と示されるセンサからの情報に関連し得る。当該情報は、センサ情報提供ユニットから提供される。簡単な例では、センサ情報提供ユニットはセンサそのものであってもよい。
【００１５】
完全なＰｏＥ互換挙動を有する実施形態は、最も低いクラスに対応するクラス情報を提供することによって動きが検出されなかったと分類し、また、より高いクラスに対応するクラス情報を提供することによって動きが検出されたと分類するセンサ（例えば、動き検出器（例えば、ＰＩＲベース））を備えるＰＤを含む。ＰＩＲを駆動し、移動／存在情報を取得するための電力は、センサ内のバッテリ又は充電式エネルギー貯蔵装置に収容されてもよい。センサを備えるＰＤは、短時間だけＰＳＥから電力を取り込んでこのバッテリ又は充電式エネルギー貯蔵装置を充電し、その後、最小電力シグネチャ値（ＭＰＳ）電流を下回るようにして実行され得る。結果として、ＰＤはＰＳＥによってスイッチオフされ、次の交渉サイクルが始まる。これはまた、ＰＳＥが動き又は動きなしに関する情報を含むクラスを定期的に要求することを保証する。対応して変更されたＰＳＥ内のファームウェア又は制御上位システム内のソフトウェアを使用して、この情報を利用して、例えば、動きが検出されるたびにセンサ近傍の照明が作動され得る。
【００１６】
一実施形態では、前記受電装置は、前記分類フェーズ中に前記受電装置によって引き出される電流を制御するように構成された電流制御ユニットをさらに備える。一例では、前記電流制御ユニットは電流制御経路であってもよいが、他の実現例も考えられる（例えば、調整可能な抵抗など）。分類フェーズ中にＰＤによって引き出される電流を制御することによって、分類情報（「分類シグネチャ」とも呼ばれる）を分類サイクルごとに変えることが可能である。
【００１７】
さらなる実施形態では、前記分類情報提供ユニットは、さらに、前記受電装置の電力レベルに基づき、前記分類フェーズ中に前記分類情報を提供するように構成され、第１のモードでは、前記分類情報提供ユニットは、前記受電装置の電力レベルに基づき、前記分類フェーズ中に前記分類情報を提供し、第２のモードでは、前記分類情報提供ユニットは、前記センサ情報に基づき、前記分類フェーズ中に前記分類情報を提供する。一例では、前記第１のモードはデフォルトモードに対応し、ＰＤは静的（すなわち、可変ではない）クラス情報を提供することによって動作する。通常、静的クラス情報は、ＰＤの電力要件に対応する。第１のモードは、静的クラスモードとも呼ばれる。第２のモードは、ＰＤがセンサ情報をＰＳＥに通信する実際の通信モードに対応し得る。第２のモードでは、ＰＤは動的（すなわち、分類サイクルごとに変化し得る）クラス情報を提供することによって動作する。具体的には、センサ情報は動的クラス情報と読み替えられ得る。第２のモードは、動的クラスモードとも呼ばれる。
【００１８】
さらなる実施形態では、前記第１のモードにおいて、前記分類情報提供ユニットは、前記受電装置の所定の電力レベルに基づき前記分類情報を提供する。所定の電力レベルは、「公称」（ミディアム）電力レベル、すなわち、センサが測定を行うために経時的に消費する電力レベルであってもよい。検出イベントを示すために、クラス情報をそのレベルからいずれかの方向（より高く又は低く）に変化させることができる。
【００１９】
さらなる実施形態では、前記第１のモードにおいて、前記分類情報提供ユニットは、前記受電装置の最大電力レベルに基づき前記分類情報を提供する。
【００２０】
さらなる実施形態では、前記受電装置は、前記受電装置の第１のスタートアップに対応する第１の分類フェーズ中に前記第１のモードで動作するように構成される。具体的には、（例えば、コミッショニングフェーズの間に）学習フェーズセットアップモードが存在し、その間に、例えば、ＰＤの識別子及びタイプがＰＳＥによって読み出され得る。学習フェーズの間、例えばソフトウェアによって制御されるパワーダウンによって、分類サイクルシーケンスが実行されてもよい。これに関して、分類情報がセンサ情報に基づく「第２のスタートアップ」のフェーズに入る前に、複数の「第１のスタートアップ」が存在してもよい。別の言い方をすれば、本実施形態は、多くのセンサがさほどの電力を必要としないことを利用して、センサが単純にクラスをステップアップしてＰＳＥに追加情報を提供することを提案する。例えば、ＰＤは５Ｗを必要とし、したがって通常はクラス２に分類することになる。より高いクラスを示すことによって、ＰＤはＰＳＥに追加の情報を示すことができる。
【００２１】
さらなる実施形態では、前記受電装置は、前記第１のスタートアップの後の前記受電装置の第２のスタートアップに対応する第２の分類フェーズ中に前記第２のモードで動作するように構成される。ＰＤは、１回目の起動と２回目の起動との間に差し込まれたままである（すなわち、ＰＳＥに結合されたままである）と仮定する。
【００２２】
さらなる実施形態では、前記通信リンクはイーサネット（登録商標）接続に対応する。
【００２３】
さらなる実施形態では、前記センサ情報は、前記受電装置の構成要素の寿命、存在検出器出力、周囲光センサ出力、温度センサ出力、及び／又は受電装置識別情報のうちの少なくとも１つに基づく。
【００２４】
さらなる実施形態では、前記受電装置は、前記センサ情報及びビット位置情報を格納するように構成されたメモリユニットをさらに備え、前記ビット位置情報は、データフレーム内のビット位置に関する情報を含む。さらなる実施形態では、前記メモリユニットは、不揮発性メモリを備える。さらなる実施形態では、前記メモリユニットは、バッファされた揮発性メモリを備える。
【００２５】
本発明の他の側面では、通信リンクを介して電力を供給するための給電装置が提供され、前記給電装置は、分類フェーズ中に前記通信リンクを介して分類情報を受信する分類情報受信ユニットと、前記分類情報からセンサ情報を取り出すよう構成されたセンサ情報取り出しユニットとを備える。簡単な例では、前記分類情報受信ユニットは、前記ＰＳＥの入力ポートであってもよい。センサ情報取り出しユニットにより、ＰＳＥは、検出後にＰＤによって提供されるクラス情報を介してＰＤからセンサ情報を受信することが可能になる。本明細書で説明されるように、ＰＤ側（及び／又はＰＳＥ側）の複雑なデータインターフェイスが回避され得る。
【００２６】
さらなる実施形態では、前記給電装置は、前記センサ情報に基づき、前記通信リンクを介して供給される電力量を調整するように構成される。一例では、ＰＤの電力ニーズがその寿命の終わりに向かって変化する場合、ＰＤはその寿命をＰＳＥに伝えることができる。所定値以上の寿命を検出すると、ＰＳＥはＰＤに供給される電力を増加させることができる。例えば、ＰＤが照明である場合、本発明は、それにより、照明の明るさが照明の寿命の終わりまで一定であることを保証する。
【００２７】
さらなる実施形態では、前記給電装置は、前記給電装置が経時的に変化する分類情報を検出した場合に、前記センサ情報取り出しユニットを選択的にイネーブルするように構成される。具体的には、本実施形態では、分類情報は分類イベントごとに異なる。時系列順に起こる複数のイベント中に変化があった場合、経時的な変化も存在する。第１の分類イベントと第２の分類イベントとの間の期間は、第３の分類イベントと第４の分類イベントとの間の期間と異なってもよいことに留意されたい。さらに、ＰＳＥは、例えば分類情報の変化率を考慮することによって、時間を追加基準として使用し得ることに留意されたい。すなわち、分類情報の急速な変化は、より頻繁に測定する必要性を示す可能性がある。同様の方法で、変化率は、ＰＳＥへの緊急性を示し得る。クラスシグネチャに包含されたセンサ情報を通信することができることにより、ＰＤはクラス情報を分類サイクルごとに変更するように構成される。一方、ＰＳＥは、ＰＤが通信リンクに結合されたままであっても、クラス情報が変更されたことを検出するように構成され得る。このようにすることで、ＰＳＥは、クラス情報に埋め込まれたセンサ情報を通信するように構成された通信可能なＰＤを識別することができる。その結果、ＰＳＥは、通信可能なＰＤが存在する場合のみ、センサ情報取り出しユニットをイネーブルすることができる。
【００２８】
本発明のさらなる態様では、本発明に係る給電装置と、本発明に係る受電装置と、前記給電装置と前記受電装置とを接続する通信リンクとを備えるＰｏＥ（Ｐｏｗｅｒ−ｏｖｅｒ−Ｅｔｈｅｒｎｅｔ（登録商標））システムが提供される。
【００２９】
本発明のさらなる態様では、通信リンクを介して電力を受け取る受電装置の動作方法であって、前記受電装置の分類フェーズ中に分類情報を前記通信リンクに提供するステップと、前記分類情報提供ユニットにセンサ情報を提供するステップとを含み、センサモードでは、前記分類情報は前記センサ情報に基づく方法が提供される。
【００３０】
本発明のさらなる側面では、通信リンクを介して電力を供給するための給電装置の動作方法であって、分類フェーズ中に前記通信リンクを介して分類情報を受信するステップと、前記分類情報からセンサ情報を取り出すステップとを含む方法が提供される。
【００３１】
本発明のさらなる態様では、本発明に係るＰｏＥシステムの動作方法が提供され、前記方法は、前記受電装置にセンサ情報を提供するステップと、前記受電装置の分類フェーズ中に前記通信リンクを介して前記受電装置から前記給電装置に分類情報を送信するステップとを含み、センサモードでは、前記分類情報は前記センサ情報に基づき、前記方法はさらに、前記給電装置において前記分類情報から前記センサ情報を取り出すステップを含む。
【００３２】
本発明のさらなる態様では、通信リンクを介して電力を受け取る受電装置を動作させるためのコンピュータプログラムが提供され、前記コンピュータプログラムは、本発明に係る受電装置を制御するコンピュータ上で前記コンピュータプログラムが実行されたとき、前記受電装置に、本発明に係る受電装置の動作方法のステップを実行させるプログラムコード手段を含む。
【００３３】
請求項１に記載の受電装置、請求項８に記載の給電装置、請求項１１に記載のＰｏＥシステム、請求項１２に記載の受電装置の動作方法、請求項１３に記載の給電装置の動作方法、請求項１４に記載のＰｏＥシステムの動作方法、及び請求項１５に記載の受電装置を動作させるためのコンピュータプログラムは、従属請求項に記載されるものと同様の及び／又は同一の好適な実施形態を有することを理解されたい。
【００３４】
本発明の好ましい実施形態は、従属請求項又は上記実施形態と独立請求項との任意の組み合わせとすることもできることを理解されたい。
【００３５】
本発明の上記及び他の側面は、以下に記載される実施形態を参照しながら説明され、明らかになるであろう。
【図面の簡単な説明】
【００３６】
【図１Ａ】図１Ａは、ＰｏＥシステムの典型的なレイアウトを示す。
【図１Ｂ】図１Ｂは、ＰＤの原理的な電流波形及び電圧波形を示す。
【図１Ｃ】図１Ｃは、ＰＤの原理的な電流波形及び電圧波形を示す。
【図２】図２は、ＰＳＥとＰＤとのインタラクションを表すフローチャートを示す。
【図３】図３は、ＰＤの実施形態を概略的かつ例示的に示す。
【図４】図４は、分類通信を有するパッシブ赤外線センサを含むＰＤの実施形態を概略的かつ例示的に示す。
【図５】図５は、温度センサを含むＰＤの実施形態を概略的かつ例示的に示す。
【図６】図６は、図４のＰＤの原理的な波形を示す。
【図７】図７は、図４のＰＤの原理的な波形を示す。
【図８】図８は、データフレーム、並びに識別及びセンサデータ伝送の一実施形態を概略的かつ例示的に示す。
【図９】図９は、ＰＳＥを含むＰＤの実施形態を概略的かつ例示的に示す。
【図１０】図１０は、ＰＤの動作方法の実施形態を概略的かつ例示的に示す。
【図１１】図１１は、ＰＳＥの動作方法の実施形態を概略的かつ例示的に示す。
【図１２】図１２は、ＰｏＥシステムの動作方法１２００の一実施形態を概略的かつ例示的に示す。
【発明を実施するための形態】
【００３７】
図１Ａは、給電機器（ＰＳＥ）１１０と、受電機器（ＰＤ）１２１を含むＰｏＥ負荷１２０とを備えるＰｏＥシステム１００の典型的なレイアウトを示す。ＰｏＥ接続は、ＰＳＥ１１０の複数の出力ジャック又はポート１１２１、・・・、１１２ｎのうちの１つと、ＰＤ１２１の入力ジャック又はポート１２２１、・・・、１２２ｎとの間のいわゆるパッチケーブル１５０１、・・・、１５０ｎによって実装され得る。ＰｏＥシステムでは、典型的には、ＰＳＥ電源ユニット１１３及びＰＤ電源ユニット１２３、並びにＰＳＥデータ処理ユニット１１４及びＰＤデータ処理ユニット１２４は、同じＰｏＥ接続１５０１、・・・、１５０ｎを共有する。マルチ負荷システムでは、各負荷は、ＰＳＥ１１０の第１のポート１１２１〜第ｎのポート１１２ｎを含む複数の出力ポートのうちの別の１つに接続され、ＰＳＥ制御ユニット１１５は正しい給電を制御するよう構成される。したがって、ＰＤ１２１等の各負荷は、イーサネット（登録商標）接続を介して電力を受け取るための適合性を別々に示し、必要電力の利用可能性をＰＳＥ１１０と別々に交渉する。これは、各ＰＤ１２１がＰＤ制御ユニット１２５を有することを要求する。ＰＳＥ１１０の側では、ＰＳＥ制御ユニット１１５が全てのポート上の交渉を監督する。
【００３８】
ＩＥＥＥ規格８０２．３ａｆに従い、ＰＤは、ＰＤによって提供される分類情報に基づいてＰＳＥによって分類されてもよい。ＰＤを分類することにより、動作中にＰＤが要求する最大電力についてＰＳＥに通知することが意図されている。クラス０はＰＤのデフォルトである。クラス１〜３は、ＰＳＥにおける他の電力管理シナリオのために使用され得る。ＰＤの分類は電力に基づく。ＰＤの分類は、全ての入力電圧及び動作モードにわたってＰＤが引き出す最大電力である。ＰＤは、最大電力消費量に応じてクラス０からクラス３を返す。具体的には、規格では、分類の間、ＰＤが単一の分類シグネチャを提示することを要求する。したがって、ＰｏＥの元々のアイデアでは、この分類データはＰＳＥの電力予算提案のために使用される。
【００３９】
下表は、ＰＤ電力分類、及びＰＤ入力コネクタで測定される分類シグネチャ（すなわち、分類電流）を示す。
【００４０】
【表１】
0006703546.tif 000002
【００４１】
給電フェーズの後、新たな検出及び分類イベントが開始される。こうすることの理由の１つは、ＰｏＥ接続（例えば、パッチケーブル）がＰＤから切断され、ＰｏＥ非対応デバイスのイーサネット（登録商標）ポートに接続される可能性があるからである。新たな検出及び分類イベントを開始することにより、最小電流の測定によって、非ＰｏＥデバイスへの高電圧の印加が回避される。
【００４２】
ここで、ＰｏＥが分類、及び接続の終了／再開の間にデータを提供することの可能性が、低データレート通信の構成のために使用される。ＰｏＥリンクを介する低データレート通信のための分類に含まれる情報が使用される。したがって、追加のデータリンク又は代替的な電力線通信回路を回避することができる。
【００４３】
図１Ｂ及び図１Ｃは、ＰＤの主な電流波形及び電圧波形ＩＰＤ、ＵＰＤを示す。パッチケーブル内の電圧降下が無視できる場合、これらの波形はＰＤエンドとＰＳＥエンドで同じになるはずである。ＰＳＥが検出及び分類を開始しているとすると、通常、ＰＳＥ側で観測される波形が考えられる。
【００４４】
図１Ｂ及び図１Ｃにおける分類フェーズΔｔＣの間、ＰＤ１２１は、ＰＳＥ１１０にクラスを提示する。本発明の一実施形態によれば、クラスの選択は、ＰＤ１２１の電力定格によって支配的に決定されるのではなく、ＰＤ１２１は所定の情報を（センサ、メモリなどを介して）を取り込み、情報にしたがってクラスを選択する。クラスの設定は、分類フェーズΔｔＣの間にＰＤ１２１によって引き出される電流Ｉ０、・・・、Ｉ４を制御する電流制御ユニットによって実現される。ＩＥＥＥ規格８０２．３ａｆは、４つのクラスレベルしか想定していないため、電流波形Ｉ４は、３０ｍＡの最大値を超える規格外電流を表す。原則的に、ＰＳＥに情報を伝えるためにも、非適合クラス電流が使用され得る。さらに、当然ながら規格は進化しており、将来、さらなるクラスを示すために新しいレベル、ステップ、タイミング、シーケンスなどを使用することができる。
【００４５】
図２は、ＰＳＥ１１０とＰＤ１２１とのインタラクションを表すフローチャートを示す。より具体的には、第１のアプリケーションにおける動作のフローチャートが示されている。ここで、各分類サイクルΔｔＣ中、一つだけの測定結果がＰＳＥ１１０に伝送される。
【００４６】
任意の時点で、ＰＳＥ１１０は特定のポート上で検出を開始する（ステップ２２０）。当該ポートに接続されたＰＤ（例えば、ＰＤ１２１）は、指定された検出抵抗の提示によって承認する（ステップ２３０）。次に、ＰＳＥ１１０は分類を開始する（ステップ２２１）。ＰＤ１２１は、分類信号Ｉ０、・・・、Ｉ３から入手可能なエネルギーを使用して、自身の内部回路及びセンサを起動し、情報（温度、周囲光レベル、存在、照明状態、スイッチ位置など）を取り込み（ステップ２３１）、これを対応する分類情報に変換することができる（ステップ２３３）。ＰＳＥ１２１は、この分類電流、よってクラス、よって（少数のクラスの荒い分解能の範囲内で）センシング結果を認識するよう構成され得る（ステップ２２２）。この情報は、その後、ＰＳＥ１１０及び他の装置又はシステムによって使用され得る。例えば、結果に基づいて、ＰＳＥ１１０は、次の読み出しサイクルを、より早い又は遅い時点ｔにスケジューリングすることができる（ステップ２２４）。また、ＰＳＥ１１０は、この情報を照明制御システム又はビルオートメーションシステムが利用できるようにし、当該システムから情報を受け取ることもできる。ＰＳＥ内で制御動作が実現されてもよく、例えば、センサポートからの分類結果に基づいて、別のポートを有効又は無効にすることができる。
【００４７】
本明細書で説明されるように、本発明の一態様は、安価な通信方式を提供するために、ＰＤからＰＳＥへの「変更された」分類シグネチャの送信に関する。システム全体のセットアップは、次の順序で行われ得る。まず、ＰＤがＰＳＥに接続される。次に、ＰＤのスタートアップが開始される。次に、ＰＤは、ＰＤの公称電力レベルに基づく分類シグネチャを提示する。次に、ＰＤはリスタートされる。最後に、ＰＤは、ＰＤのセンサ情報に基づく分類シグネチャを提示する。このようにして、ＰＳＥは、最初の分類シグネチャを従来の方法で解釈する一方、後続の分類シグネチャはＰＤからのセンサ情報を含むと解釈することができる。言い換えれば、上記実施形態では、ＰＳＥは積極的に最初のクラスコードを求め、その後直ちにステータス情報を得るための交渉を再開する。
【００４８】
特に、検出情報（例えば、人が存在する又はしない）がランダムな時間に変化する可能性があるセンサに関して、異なる機構が考えられる。この実施形態では、センサは、最初の接続時に検出及び分類されるか、又は従来装置のようにＰＳＥの起動時に検出及び分類される。クラス情報は、センサが動作するために必要とする電力に対応する。しかし、センサがステータスを送信することを決定する場合、センサは、例えば、最小電力シグネチャ値（ＭＰＳ）を直ぐに中断し、それにより、新たな交渉サイクルをリクエストして、ステータス関連クラスを提示し得る（すなわち、ＰＤの電力要件ではなくセンサ情報に対応するクラス情報）。ＰＳＥは、ＭＰＳの短いアンダーカットのみでクラスが時間の経過とともに変化していることを検出するためにブックキーピングを行い得る（これは、同様に異なるクラスを与え得るＰＤの手動変更がないことを示す）。追加で及び／又は代替的に、ＰＤは、意図的に過電流保護に入り、ＰＤがＰＳＥによってスイッチオフされ、再交渉がされるよう構成され得る。
【００４９】
ＰＳＥ１１０の側では、検出された分類情報を上位管理システムに転送するために、又はデータを前処理するために、調整可能なレートで分類サイクルを開始が開始できるよう、適合ファームウェアが使用され得る。
【００５０】
データ及び／又はセンシングタスクの複雑さに依存して、ＰＤ１２１内の単純なアナログ回路が、情報を、例えばＰＤコントローラチップ等のＰＤ制御ユニットへの分類信号に変換するのに十分であり得る。より複雑なタスク又はデータは、情報又はデータストリームを生成するためのマイクロコントローラを必要とし得る。それでも、データインターフェイスのコスト、物理的サイズ（ＰＣＢフットプリント）、及び電力消費が削減され、単純、効率的、かつ低コストなソリューションがもたらされる。
【００５１】
ノード制御ユニット３１５内に存在する情報は、ＰＤ制御ユニットによって伝達される分類を操作するよう、及び／又はＰＤの電力消費を終了させるよう準備される。ノードコントローラは、センサ情報を受信し、ＰＤコントローラチップ３３０のＲｃｌａｓｓ及びＶｉｎピンに提示されるクラスシグネチャがそれぞれ変更されるよう、センサ情報を変換するよう構成される。さらに、ノードコントローラはＰＤの再起動時にも決定する。したがって、一実施形態では、ノードコントローラは、ＰＤコントローラチップのシャットダウンピンにも結合される。別の言い方をすれば、再起動機能は、ＰＤ側でこの機構について知っているエンティティであるノードコントローラによってトリガされる必要がある。同じ機構を使用するが、ＰＳＥによってトリガされる周期的交渉を再開することによるシステムでは、そのような接続を省略することができ、ノードコントローラは、新たな交渉サイクルが開始されたことを知るためにＰＤ電圧を監視するだけである。
【００５２】
１つの例示的なＰＤ制御ユニットについて、これが図３に示されている。図３は、センサ信号３１１がセンサ３１０からノード制御ユニット３１５に供給され、ノード制御ユニット３１５によってセンサ信号が、調整可能Ｒクラスユニット３２０のためのコマンド３１６に変換される、ＰＤ３００の実施形態を概略的かつ例示的に示す。この実施形態では、調整可能Ｒクラスユニット３２０は、ＰＤ制御ユニット３３０のＲｃｌａｓｓピンとＶｉｎピンとの間に結合されてもよい。その後、分類の間、ＰＤ制御ユニット３３０によってピンＲｃｌａｓｓ及びＶｉｎの負荷が使用され得る。ノード制御ユニット３１５はまた、入力電圧を監視するよう構成されてもよい。さらに、さらなるセンサ及び制御信号が存在してもよい。ＰＤ３００は、ライン整流器３０１，３０２をさらに備える。ＰＤ３００は、補助電源及びオプションの負荷を含むユニット３４０をさらに備える。
【００５３】
ＰＳＥ１１０は、分類情報を取得するように構成される。どのような場合でも、ＰＳＥ１１０は、内部電力予算管理のためにその情報を読み取ることができる。したがって、ＰＳＥ側には追加のハードウェアやソフトウェアの労力は必要とされない。一実施形態では、変更された分類信号を正しく解釈するために、ＰＳＥ上にさらなるロジックが存在してもよい。したがって、典型的な実施形態では、ＰＳＥは、単なる電力予算管理指標ではなく、追加情報に対応するものとしてクラスコードを理解する必要がある。しかし、依然として、従来のＰＳＥは、要求されるクラス電力がＰＳＥ予算において入手可能であり、ＰＤが関連する電力値を受電し得る限り、何らのエラーもなく、本発明に係るＰＤと動作し得る。一実施形態では、クラス情報が正しく解釈されるよう、ＰＳＥの外部から交渉を監視することが可能であり得る。例えば、コンピュータは、ＰＳＥの管理ポートを使用して、異なるポートで現在交渉されているクラスを読み取ることができる。この実施形態では、変更されたクラス情報を送信するためにＰＤが積極的に再交渉を要求する従来のＰＳＥが使用され得る。
【００５４】
４つのクラスのみを想定するＰｏＥシステム１００の場合、分類サイクル内（数ミリ秒以内）には、限られた量のデータ（すなわち、２ビット）しか組み込むことができない。
【００５５】
ＰＳＥ１１０は、分類が通信に使用されていることを「認識」していてもよいが、上位制御システムが分類情報を利用することを可能する任意の通常の管理スイッチと共に使用されてもよい。その場合、ＰｏＥシステム１００は、ある符号化方式を有するあるタイプのセンサがＰＳＥ１１０のポート１１２１、・・・、１１２ｎに接続されていることを何らかの形で「知る」必要がある。代替的に及び／又は追加で、システムがある種のセンサの存在について自動的に知ることができるよう、変化する電力クラス情報が所与の時間にわたって評価されてもよい。すなわち、従来のＰＤは経時的に一定のクラスシグネチャを提示するが、本発明に係るＰＤは、センサ出力に従って自身のクラスシグネチャを変化させ得る。この変化は、自身のクラスシグネチャと通信可能なＰＤの存在を示す。
【００５６】
図４は、分類通信を有するパッシブ赤外線センサ（ＰＩＲ）４１０を含む受電装置（ＰＤ）４００の実施形態を概略的かつ例示的に示している。「存在しない」と「存在する」とを区別する場合、消費電力が非常に低いという利点を有するパッシブ赤外線センサ（ＰＩＲ）検出器が頻繁に選択される。ＰＤ４００は、検出／分類／動作電圧から充電される（例えば、コンデンサなどの）エネルギー貯蔵装置４４０を備え得る。分類中にＰＤ４００によって引き出される実際の電流を制御するために、制御された電流経路が存在する。図４に示される例では、これは、市販のＰＤ制御ユニット、例えば、ピンＲＣｌａｓｓの負荷を介してクラスに関する情報を受け取るように構成されたＰＤコントローラチップ等で実現されてもよい。本実施形態では、このクラス情報は、ＰＩＲ４１０が出力する存在情報４１１に依存する。存在検出回路４１０によって、ＲＣｌａｓｓピンへの第１の負荷４２０ａが起動される。オプションの第２の負荷４２０ｂが、分類電流（よってクラス）をデフォルト状態に設定してもよい。他のチップコントローラは、ＲＣｌａｓｓピンを用いる方法とは異なる方法で分類シグネチャを提供してもよい。一部の実施形態では、クラス設定のために外部抵抗器を使用することができる。他の実施形態では、プログラマブルインターフェースを使用することができる。他の実施形態では、クラス設定のためにピンを使用することができる。
【００５７】
図６及び図７は、ＰＤ４００の原理的な波形を示す。簡略化のために、ＰＩＲ４１０の瞬間的な始動が仮定されている。実際には、サイクル間の休止時間が長すぎない限り、ＰＩＲ４１０がアクティブであるように、先の給電サイクルによってエネルギー貯蓄装置４４０が充電されている。
【００５８】
存在が検出されない場合、図６に示すように、第１の分類電流Ｉ１が消費される（この例では、Ｉ１はクラス１を示し得る）。存在が検出される場合、図７に示すように、第２の分類電流Ｉ３が消費される（この例では、Ｉ３はクラス３を示し得る）。ＰＳＥ１１０は、第１又は第２の分類電流レベルＩ１、Ｉ３を特定し、もって、検出器４１０によって検出された存在状態を知る。
【００５９】
ＰＳＥ１１０からのステータスを「読んだ」後、すなわち、分類フェーズΔｔＣの後、ＰＳＥ１１０は、例えば、シャットダウンが開始されるまで、貯蓄素子を充電するためにいくらかの時間Δｔｓｄ、ＰＤ４００に電力を供給し得る。
【００６０】
ＰＳＥ１１０から電力が供給されていない期間中、ＰＤ４００はエネルギー貯蔵装置４４０から受電し得る。あるいは、電源電圧が臨界値を下回ると、ＰＤ４００がシャットダウンし、次のサイクルで起動してもよい。また、ＰＤ４００は、ＰＳＥ１１０へのＰｏＥリンクをアクティブに保つために最小電流を消費してもよい。
【００６１】
他の実施形態では、４つの異なる光レベルクラス、例えば〜１０ルクス、１０〜５００ルクス、５００〜５５０ルクス、５５０ルクス〜で、周囲光センサによって４つの状態（ＩＥＥＥ規格８０２．３ａｆの最小クラス数に対応する４つのクラスに従って）が使用され得る。終了及び新サイクルの開始のスケジュールは、上述したものと非常に似ているが、光レベルの変化がイベントを引き起こす可能性がある点で異なる。
【００６２】
図５は、３つの状態を有するＰＤ５００の実施形態を概略的かつ例示的に示し、ＰＤ５００は温度センサを有する。３つの異なる温度クラスは、例えば、〜２０℃、２０〜２５℃、２５℃〜を指し得る。温度感知スイッチ５１０ａ（例えば、２５℃のトリップ点を有する）、５１０ｂ（例えば、２０℃のトリップ点を有する）が使用される場合（図５参照）、図５に示すように、それらは直接、抵抗ユニット５２０ａ、５２０ｂ、５２０ｃを介してＰＤ制御ユニット３３０のＲＣｌａｓｓ入力と結合されてもよい。最も単純なケースでは、抵抗ユニット５２０ａ、５２０ｂ、５２０ｃは固定抵抗である。アクティブなスイッチに依存して、特定数の抵抗ユニット５２０ａ又は５２０ｂが効果的にＲＣｌａｓｓ信号に負荷をかけ、対応して変更された分類電流を生じる。この実施形態は、瞬時のスタートアップを提供し得る。
【００６３】
互換性にいくつかの制限があるが、ＲＣｌａｓｓとしてＮＴＣ（ｎｅｇａｔｉｖｅ  ｔｅｍｐｅｒａｔｕｒｅ  ｃｏｅｆｆｉｃｉｅｎｔ）サーミスタ／ＰＴＣ（ｐｏｓｉｔｉｖｅ  ｔｅｍｐｅｒａｔｕｒｅ  ｃｏｅｆｆｉｃｉｅｎｔ）サーミスタが直接使用されてもよい。規格は異なるクラスに指定された電流範囲を許容するので、通常の感熱抵抗も使用され得ることに留意されたい。このためにＰＤコントローラチップを変更する必要はない。なぜなら、全ての電流値（すなわち、クラス情報）が許容されており、電流値はある解釈を有するからである。一方では、ＮＴＣ／ＰＴＣを採用すると、重複しないクラス外の分類電流値がもたらされる可能性があり、これらは、一部のＰＳＥで受け入れられない可能性がある。他方では、（例えば、対応するファームウェアを用いて）特別に適合させられたＰＳＥを使用することによって、本明細書で提案される通信方式は準連続的な温度測定をも許容する。
【００６４】
本発明は、センシング部分から切り離され、光源又は他の負荷と組み合わせて使用することも可能である。これに関して、他の実施形態では、寿命の終わりに近い照明は、一定の光出力を供給するために、入力電力を増加させる必要があり得る。したがって、照明はある時点において、より高い出力クラスを選択し得る。ＰＳＥはこれを検出し、上位管理システムは負荷の増加した電力需要を認識し、よって、負荷の保守／修理が必要であるという情報を導き出す。上位管理システムは、典型的には、例えば全ての照明、メンテナンス、ビル等を取り扱う知的制御システムに対応する。これに関して、上位管理システムは、ＰＳＥ情報へのアクセスを有し、これに応じて動作するよう構成され得る監視制御システムであってもよい。
【００６５】
他の実施形態では、より複雑なデータをデータフレームにパックし、複数のサイクルにかけて送信することができる。
【００６６】
より複雑なデータの例は、例えば識別子、較正データ、ヒートシンク温度、動作時間などの照明の識別情報又は状態情報であってもよい。電源投入時ごとに、負荷は１ビット又は２ビットの情報を送信し、その後、情報はデータフレーム構造に従ってデコードされ得る。照明の用途に依存して、完全なフレームを読み取るのに数週間かかる可能性がある（例えば、１日に１回のみオンにされる照明の場合に）。老朽化情報（例えば、５００００時間に向かってカウントする）の場合、この遅延は許容可能であり、特に制限は課さない。
【００６７】
典型的には、本発明に係るＰＤの一実施形態は、ＰＳＥの電力予算管理に影響を及ぼさないようにするために、実際の及びより高い電力クラスのみを使用する（より低い電力を示すクラスは使用しない）。ＰＤが所要電力について最も高いクラスを使用している場合、ＰＤは、通信するには下位クラス化を利用するしかない（すなわち、より低いレベルのクラスに対応するクラス情報を伝達する）。しかしながら、そのような下位クラス化は、従来のＰＳＥに問題を生じる。なぜなら、実際の電力消費が交渉された電力を上回り、ＰＳＥがＰＤをスイッチオフするからである。したがって、変化するクラス情報を受け入れるように構成されていないＰＳＥを含むシステムを運用する場合、通信には上位クラス化のみを使用することが推奨される（すなわち、より高いレベルのクラスに対応するクラス情報を伝達する）。実際には、ほとんどのセンサは動作するのに大きな電力を必要とせず、ＰＤの電力要件に対応するクラス情報は通常、低レベルのクラスを示す。したがって、通常の状況下では、通信に使用するために十分な上位クラス化が可能である。クラス０は、任意の他の（真の）クラスと組み合わせて使用可能である。例えば、５Ｗ以下の真の電力消費を有する負荷は、自身をクラス２でだけでなく、クラス０でも示すことができる。したがって、クラス２及びクラス０は、デジタルビット０及び１の表現として使用することができる。そして、クラス０及びクラス２としての分類シーケンスは、０及び１のビットストリームをもたらす。この種の通信のためには、ＰＤの実施形態は、典型的には、データフレーム内の情報（例えば、動作時間）及びビット位置の両方を記憶するための不揮発性メモリを備える。
【００６８】
より速いサイクル時間のために、複数の分類サイクルが速いシーケンスで開始されてもよい。光源と組み合わせられる場合、複数の分類イベントが目に見えるアーチファクト又は中断時間を生じないように、好ましくは、このためには余分なタイムスロット（例えば、オフィスが占有されていない夜間）が使用される。
【００６９】
複数の分類サイクルは、例えば、ＰｏＥシステムのコミッショニング中に使用され得る。
【００７０】
本明細書で提案される分類ベースの通信方式を利用可能な各センサ、照明等は、識別子（固有及び／又は一般型）及び／又は符号化テーブルを有し、また、第１の分類イベント中にこのデータを自動送信するよう構成され得る。その後、通常動作（センサ情報依存分類）が開始される。
【００７１】
図８は、データフレーム、並びに識別及びセンサデータ伝送の一実施形態を概略的かつ例示的に示す。行８０１は、分類イベントの番号を示す。行８０２は、各ビット（上記のように、クラス０、・・・、３の例では、分類イベントごとに２ビットを通信することができる）を示す。通常の負荷は、静的クラスを提示する。これは、クラス０（行８０３）、１（行８０４）、２（行８０５）、及び３（行８０６）のために通常の照明から送信される分類シグネチャが示されている行８０３〜８０６に見ることができる。（マイクロコントローラベースの）通信可能なＰＤは、分類サイクルごとに変化し得るクラスを提示し得る。この概念は、そのようなＰＤの存在を検出するために利用され得る。図８の例では、８ビット８０６ａ、８０７ａ、８０８ａがこのために確保されている。通常の照明（ライン８０３〜８０６）については、クラス情報は、分類サイクルごとに変わらない（すなわち、同じ２ビットが何度も繰り返される）。したがって、この静的クラスは、デバイスが非通信ＰＤであることをＰＳＥに通知する。一方、通信可能なＰＤ（行８０７及び８０８）では、クラスシグネチャは、ある分類サイクルごとに変化する可能性がある。したがって、この動的クラスは、デバイスが通信可能ＰＤであることをＰＳＥに通知する。
【００７２】
最初の８ビットに続いて、デバイスのタイプについての６ビット８０９が存在し得る（例えば、行８０７に示されるように、タイプ１が存在検出器であり、行８０８に示されるように、タイプ３２が温度センサである）。次に、デバイスの（必ずしもグローバルに固有である必要はないが、好ましくは、ＰＳＥ全体に固有な）識別子のための１０ビット８１０が存在し得る（例えば、行８０７の５６７又は行８０８の２０９）。したがって、最初の２４ビット（又は最初の１２の分類イベント）は、識別フェーズΔｔｉｄに対応する。続いて、分類イベント＃１３から使用フェーズΔｔｕが開始し、センサが、セサ値依存分類を供給する。センサ値依存分類は、例えば、ＰＤタイプの知識に基づき、ＰＳＥによって（又は上位制御ユニットによって）センサ値に変換され得る。ここで、存在／不在センサ（行８０７）が、分類サイクル１３〜１５及び１８（参照番号８０７ｂ及び８０７ｄ参照）の間に「不在」を報告し、分類サイクル１６及び１７の間に「存在」を報告する（参照符番号８０７ｃ参照）。同様に、温度センサ（行８０８）は、「＜２０℃」、「２０℃〜２５℃」、または「＞２５℃」という各温度範囲を報告し得る。
【００７３】
図８の「ｘ軸」は分類イベントのシーケンスに対応し、必ずしも線形時間軸に対応するものではないことに留意されたい。
【００７４】
ＰＤがその寿命にかけて１つのＰｏＥシステムで使用され、システムがすべての分類結果をログする限り、一貫した解釈が得られる。識別をやり直すためのリセット手続きが存在してもよい。
【００７５】
本明細書に示す通信へのアプローチには、ＰＳＥ側での互換性と制御システムでのデータ処理が必要である。具体的には、本発明に係るＰＤは、データ通信ＩＣなしに提供され得る。
【００７６】
本発明の適用例は、例えば専門的な建造物におけるＰｏＥ照明ネットワーク、ＨＶＡＣ（暖房、換気及びび空調）ネットワーク、及びセンサネットワークである。本発明のさらなる用途は、単純なセンサ（存在、周囲光など）に関する。本発明のさらなる用途は、低待機電力、低コストＰｏＥセンサに関する。本発明のさらなる用途は、イーサネット（登録商標）に依存しない通信チャネルを提供する信頼できるセンサに関する。本発明のさらなる用途は、実際には絶対的には「ダム（ｄｕｍｂ）」でない「ダム」な照明（すなわち、通信手段を備えない照明及び／又は別個の通信を有さない照明及び／又は非常に限られた内部制御回路を有する照明）を有効化することに関する。
【００７７】
図９は、通信リンク１５０１、・・・、１５０ｎを介して電力を供給するためのＰＳＥ装置９１０の実施形態を概略的かつ例示的に示す。ＰＳＥ装置９１０は、分類フェーズ中に通信リンク１５０１、・・・、１５０ｎを介して分類情報を受信するように構成された分類情報受信ユニット９１５と、分類情報からセンサ情報を取り出すよう構成されたセンサ情報取り出しユニット９９０とを含む。
【００７８】
ＰｏＥ接続は、ＰＳＥ９１０の複数の出力ジャック又はポート９１２１、・・・、９１２ｎのうちの１つと、ＰＤの入力ジャック又はポートとの間のパッチケーブル１５０１、・・・、１５０ｎによって実装され得る。図示の例では、ＰＳＥ装置９１０は、ＰＳＥ電源ユニット９１３及びＰＳＥデータ処理ユニット９１４をさらに備える。ＰＳＥ制御ユニット９１５は全てのポート上の交渉を監督する。
【００７９】
図１０は、通信リンク１５０１、・・・、１５０ｎを介して電力を受け取るためのＰＤ１２１の動作方法１０００の実施形態を概略的かつ例示的に示す。方法１０００は、ＰＤ１２１の分類フェーズ中に分類情報を通信リンク１５０１、・・・、１５０ｎに提供するステップ１０１０と、分類情報提供ユニット３３０にセンサ情報を提供するステップ１０２０とを含む。センサモードでは、分類情報はセンサ情報に基づく。
【００８０】
図１１は、通信リンク１５０１、・・・、１５０ｎを介して電力を供給するためのＰＳＥ装置１１０、９１０の動作方法１１００の実施形態を概略的かつ例示的に示す。方法１１００は、分類フェーズ中に分類情報を通信リンク１５０１、・・・、１５０ｎを介して受信するステップ１１１０と、分類情報からセンサ情報を取り出すステップ１１２０とを含む。
【００８１】
図１２は、ＰｏＥシステム１００の動作方法１２００の一実施形態を概略的かつ例示的に示す。方法１２００は、ＰＤ１２１に関するセンサ情報を提供するステップ１２１０と、ＰＤ１２１の分類フェーズの間、通信リンク１５０１、・・・、１５０ｎを介してＰＤ１２１からＰＳＥ装置１１０、９１０に分類情報を送信するステップ１２２０とを含む。センサモードでは、分類情報はセンサ情報に基づく。方法１２００はさらに、ＰＳＥ装置１１０、９１０において、分類情報からセンサ情報を取り出すステップ１２３０を含む。
【００８２】
開示の実施形態の他の変形例が、図面、開示、及び添付の特許請求の範囲から、クレームされる発明に係る当業者によって理解及び実施され得る。
【００８３】
特許請求の範囲において、「含む（ｃｏｍｐｒｉｓｉｎｇ）」という用語は他の要素又はステップを排除するものではなく、不定冠詞「ａ」又は「ａｎ」は複数を除外しない。
【００８４】
単一のユニットまたはデバイスが、請求項に記載される複数のアイテムの機能を果たし得る。複数の手段が互いに異なる従属請求項に記載されているからといって、これらの手段の組み合わせが好適に使用することができないとは限らない。
【００８５】
コンピュータプログラムは、他のハードウェアと共に又は他のハードウェアの一部として供給される光学記憶媒体又はソリッドステート媒体等の適切な媒体上で記憶及び／又は分配されてもよいし、インターネット又は他の有線若しくは無線テレコミュニケーションシステムを介して等の他の形態で分配されてもよい。「コンピュータプログラム」という用語は、組み込みソフトウェアを指す場合もある。
【００８６】
特許請求の範囲内のいかなる参照符号も、その範囲を限定するものと解釈されるべきではない。
【００８７】
本発明は、ＰｏＥ（Ｐｏｗｅｒ−ｏｖｅｒ−Ｅｔｈｅｒｎｅｔ（登録商標））システムに関する。本発明は、分類イベントを使用してＰＤからＰＳＥに通信することを提案する。センサはセンサ値を決定し、ＰｏＥ接続を遮断し、再接続してＰＳＥとの電源投入サイクルを開始し得る。センサは、クラス０、・・・、３に関連するＰｏＥ抵抗を提供し、クラスはセンサ値に関連する（例えば、クラス０＝存在検出、クラス１＝存在未検出）。この手続きは繰り返されてもよく（例えば、連続的に、毎分、又はセンサ値が変化してＰＳＥが通知を受ける必要があるときごとに）、必要であれば、通信されるメッセージの長さを増やすために複数のサイクルが使用されてもよい。
【図１Ａ】
0006703546.tif 000003
【図１Ｂ】
0006703546.tif 000004
【図１Ｃ】
0006703546.tif 000005
【図２】
0006703546.tif 000006
【図３】
0006703546.tif 000007
【図４】
0006703546.tif 000008
【図５】
0006703546.tif 000009
【図６】
0006703546.tif 000010
【図７】
0006703546.tif 000011
【図８】
0006703546.tif 000012
【図９】
0006703546.tif 000013
【図１０】
0006703546.tif 000014
【図１１】
0006703546.tif 000015
【図１２】
0006703546.tif 000016